(57)【要約】【課題】本発明は、ディスプレイスクリーン用アクセサリ（１０）を提供する。【解決手段】アクセサリ（１０）は、第１部材（１２）と、第２部材（１４）と、取り付け手段（３５）と、を有する。第１部材（１２）は、ウインドウ（１８）または切り欠き部を有し、ウインドウまたは切り欠き部は、少なくともディスプレイスクリーンの一部への視覚的アクセスを提供するように構成されている。第１および第２部材（１２、１４）は重ねて設置されるように構成されている。取り付け部材（３５）は第１部材（１２）を第２部材（１４）に選択的に取り付けるための手段であり、これにより、ウインドウ（１８）または切り欠き部の位置をディスプレイスクリーンに対して調整可能である。【選択図】図１
2009526247.tif 000002
【特許請求の範囲】
【請求項１】
ウインドウまたは切り欠き部を有し、前記ウインドウまたは前記切り欠き部が少なくともディスプレイスクリーンの一部への視覚的アクセスを提供するように構成された第１部材と、
前記第１部材と互いに重なり合って配置されるように構成された第２部材と、
前記第１部材を前記第２部材に選択的に取り付けるための手段であって、前記ウインドウまたは前記切り欠き部の位置を前記ディスプレイスクリーンに対して調整可能な取り付け手段と、
を備えたディスプレイスクリーン用アクセサリ。
【請求項２】
前記第１部材は周縁部を有し、前記周縁部は少なくとも前記ディスプレイスクリーンを部分的に取り囲むように構成されている、請求項１に記載のアクセサリ。
【請求項３】
前記周縁部は前記ディスプレイスクリーンを略完全に取り囲む、請求項２に記載のアクセサリ。
【請求項４】
前記ウインドウは前記ディスプレイスクリーンの外形に適合するようなサイズ及び形状で構成されている、請求項１乃至４の何れか一つに記載のアクセサリ。
【請求項５】
前記第１部材は、締結部を受けるように構成された少なくとも一つの孔部を有する、請求項１乃至４の何れか一つに記載のアクセサリ。
【請求項６】
前記第１部材はパネルである、請求項１乃至５の何れか一つに記載のアクセサリ。
【請求項７】
前記パネルは矩形である、請求項６に記載のアクセサリ。
【請求項８】
前記第１部材は背面を有し、前記背面の少なくとも一部が前記第２部材の少なくとも一部に接するように構成されている、請求項１乃至７の何れか一つに記載のアクセサリ。
【請求項９】
前記第１部材の位置は、前記第１部材を前記第２部材に沿ってスライドさせることにより調整される、請求項３乃至８の何れか一つに記載のアクセサリ。
【請求項１０】
前記第２部材はＵ字部を有する、請求項１乃至９の何れか一つに記載のアクセサリ。
【請求項１１】
前記Ｕ字部は少なくとも一つのスロットを有し、前記第２部材に対して前記ウインドウまたは前記切り欠き部の位置を調整するために、前記第1部材を前記スロットに沿ってガイドすることができるように構成されている、請求項１０に記載のアクセサリ。
【請求項１２】
使用時において、前記スロットは略垂直方向に延在する、請求項１１に記載のアクセサリ。
【請求項１３】
前記第２部材は、ケーブルが貫通可能なウインドウ、開口部、または切り欠き部を有する、請求項１乃至１２の何れか一つに記載のアクセサリ。
【請求項１４】
前記第２部材はパネルを有する、請求項１乃至１３の何れか一つに記載のアクセサリ。
【請求項１５】
前記取り付け手段は、ボルトと、ナットと、を有する、請求項１乃至１４の何れか一つに記載のアクセサリ。
【請求項１６】
前記ボルトは前記第２部材に形成されたスロットに沿ってガイド可能であり、これにより、前記ウインドウまたは前記切り欠き部の位置を前記第２部材に対して調整することができる、請求項１５に記載のアクセサリ。
【請求項１７】
略水平支持面上でフリースタンディング姿勢（free standing position）に前記アクセサリを支持するための支持手段をさらに備える、請求項１乃至１６の何れか一つに記載のアクセサリ。
【請求項１８】
前記支持手段は折り畳み可能な支持部材を有する、請求項１７に記載のアクセサリ。
【請求項１９】
前記支持手段は前記第２部材の底部を有する、請求項１７または１８に記載のアクセサリ。
【請求項２０】
前記底部は前記第２部材の前面に対して傾斜している、請求項１９に記載のアクセサリ。
【請求項２１】
前記第２部材は、第１部と、第２部と、を有し、前記第１部及び前記第２部は相対移動可能である、請求項１乃至２０の何れか一つに記載のアクセサリ。
【請求項２２】
前記第１部は前記第２部材の中央部に取り付けられるように構成され、前記第２部は前記第１部に対して折り畳み可能である、請求項２１に記載のアクセサリ。
【請求項２３】
前記第１及び第２部は互いにヒンジで取り付けられる、請求項２１または２２に記載のアクセサリ。
【請求項２４】
前記第２部材は、外部の力または圧力を受けた場合に折り曲げ可能な一または複数の折り曲げ線を有する、請求項１乃至２３の何れか一つに記載のアクセサリ。
【請求項２５】
前記第２部は、中央部と、少なくとも２つの側部と、を有し、前記側部は前記中央部に対して所定の角度で設置されるように構成されている、請求項１乃至２２の何れか一つに記載のアクセサリ。
【請求項２６】
前記第２部材は少なくとも４つの側部を有する、請求項２５に記載のアクセサリ。
【請求項２７】
前記第２部材は前記ディスプレイスクリーンを略完全に取り囲むように構成されている、請求項１乃至２６の何れか一つに記載のアクセサリ。
【請求項２８】
前記第２部材はスリーブ部材の形態であり、前記スリーブ部材は前記ディスプレイスクリーンを取り囲むように構成されている、請求項２７に記載のアクセサリ。
【請求項２９】
前記アクセサリは、装飾インディシア（indicia）、情報インディシア、娯楽インディシア、格納装置、メディア装置、電子ディスプレイの内、一または複数を備えるように構成されている、請求項１乃至２８の何れか一つに記載のアクセサリ。
【請求項３０】
前記装飾インディシアは、芸術作品、３Ｄ画像、郵便はがき、写真の内、一または複数を有する、請求項２９に記載のアクセサリ。
【請求項３１】
前記情報インディシアは、指示、安全情報の内、一または複数を有する、請求項２９に記載のアクセサリ。
【請求項３２】
前記娯楽インディシアは、電子ゲーム、ゲームコントローラ、パズルの内、一または複数を有する、請求項２９に記載のアクセサリ。
【請求項３３】
前記格納装置は、ＣＤホルダ、トレイ、ポケット、ドキュメントホルダ、クリップ、クランプの内、一または複数を有する、請求項２９に記載のアクセサリ。
【請求項３４】
前記メディア装置は、スピーカ、カメラ、携帯電話ホルダ、電子ディスプレイの内、一または複数を有する、請求項２９に記載のアクセサリ。
【請求項３５】
前記アクセサリは、ホワイトボードまたはブラックボードとして機能するように構成された面を備える、請求項１乃至３４の何れか一つに記載のアクセサリ。
【請求項３６】
前記アクセサリは磁気面を備える、請求項１乃至３５の何れか一つに記載のアクセサリ。
【請求項３７】
スリーブまたはカバーをさらに備え、前記スリーブまたは前記カバーは前記アクセサリの一部に適合するように構成されている、請求項１乃至３６の何れか一つに記載のアクセサリ。
【請求項３８】
上部部材をさらに備え、前記上部部材は、前記ウインドウまたは前記切り欠き部に対して、上昇位置と下降位置の間で略垂直方向に移動可能であり、これにより、前記アクセサリの視認領域を調整可能である、請求項１乃至３７の何れか一つに記載のアクセサリ。
【請求項３９】
前記上部部材は少なくとも一つのスロットを有し、前記スロットは、略垂直方向に延在し、締結部を受けるように構成されている、請求項３８に記載のアクセサリ。
【請求項４０】
少なくとも一つの側部部材をさらに有し、前記側部部材は、前記ウインドウまたは前記切り欠き部に対して、第１位置及び第２位置の間で略水平方向に移動可能である、請求項１乃至３９の何れか一つに記載のアクセサリ。
【請求項４１】
前記側部部材は略水平方向に延在する少なくとも一つのスロットを有し、前記スロットは締結部を受けるように構成されている、請求項４０に記載のアクセサリ。
【請求項４２】
使用時において、締結部が前記上部部材と前記側部部材のスロットのそれぞれに貫通することができるように、前記上部部材と前記側部部材が配置されている、請求項４１に記載のアクセサリ。
【請求項４３】
前記第１部材は、前記第２部材に配置されたトラックに沿ってスライド可能である、請求項１に記載のアクセサリ。
【請求項４４】
前記第１部材は、前記ディスプレイスクリーンの操作コントローラへのアクセスを提供するように構成されたアクセス開口部と、ケーブルが貫通できるように構成された開口部と、前記ディスプレイスクリーンへのリモートアクセスを提供するように構成された部分の内、一または複数を有する、請求項１乃至４３の何れか一つに記載のアクセサリ。
【請求項４５】
前記第１パネルは正方形である、請求項６に記載のアクセサリ。
【請求項４６】
前記第１及び第２部材の内、前面側の部材は、透明、半透明、または、透光性の物質からなる部分を有する、請求項１乃至４５の何れか一つに記載のアクセサリ。
【請求項４７】
図面を参照してここに記載されたアクセサリに相当するアクセサリ。
【発明の詳細な説明】
【技術分野】
【０００１】
本発明は、ディスプレイスクリーン用アクセサリに関し、特に、コンピュータモニタ用フレームまたはテレビジョン装置用フレームに関する。
【背景技術】
【０００２】
従来技術として、コンピュータモニタ用アドオンアクセサリが知られている。こうしたアクセサリは、典型的にはコンピュータモニタに設置するように構成されたアンチグレアスクリーンを有する。また、コンピュータモニタにドキュメントホルダを設置するために、調整可能なクランプを使用することが知られている。
【０００３】
ここで周知の従来技術へのいかなる参照も、反対の指摘がない限り、本出願の優先日の時点において、こうした従来技術が本発明に関わる当業者に公知であることを認めるものではない。
【発明の開示】
【発明が解決しようとする課題】
【０００４】
本発明はディスプレイスクリーン用アクセサリを提供する。
【課題を解決するための手段】
【０００５】
このアクセサリは、第１部材と、第２部材と、取り付け手段と、を備える。第１手段はウインドウまたは切り欠き部を有し、このウインドウまたは切り欠き部は、少なくともディスプレイスクリーンの一部への視覚的アクセスを提供するように構成されている。第１及び第２部材は重なり合って設置されるように構成されている。取り付け手段は、第１部材を第２部材に選択的に取り付けるための手段であり、これにより、ウインドウまたは切り欠き部の位置をディスプレイスクリーンに対して調整することができる。
【０００６】
第１部材は、周縁部を有し、周縁部は少なくともディスプレイスクリーンを部分的に取り囲むように構成されることが好ましい。
【０００７】
第１部材は締結部を受けるように構成された少なくとも一つの孔部を有してもよい。
【０００８】
第１部材の位置は、第１部材を第２部材に沿ってスライドさせることによって調整することが好ましい。
【０００９】
第２部材はＵ字部を有することが好ましい。
【００１０】
Ｕ字部は、少なくとも一つのスロットを有し、ウインドウまたは切り欠き部の位置を第２部材に対して調整するために、第１部材をスロットに沿ってガイドすることができるように構成されている。
【００１１】
第２部材は、ケーブルを貫通させるためのウインドウ、開口部、または切り欠き部を有してもよい。
【００１２】
アクセサリは、略水平支持面上でアクセサリをフリースタンディング姿勢（free-standing position）に支持するための支持手段をさらに備えることが好ましい。
【００１３】
支持手段は折り曲げ可能な支持部材を有してもよい。
【００１４】
支持手段は第２部材の底部を含んでもよい。
【００１５】
第２部材は、第１部と、第２部と、を有することが好ましく、第１部と第２部は相対移動可能である。
【００１６】
第１部は第２部材の中央部に取り付けられるように構成され、第２部は第１部に対して折り曲げ可能であることがさらに好ましい。
【００１７】
第２部材は、外部の力または圧力を受けた場合に折り曲げ可能な一または複数の折り曲げ線を有することが好ましい。
【００１８】
アクセサリは、装飾インディシア（indicia）、情報インディシア、娯楽インディシア、格納装置、メディア装置、電子ディスプレイの内、一または複数を備えるように構成されることが好ましい。
【００１９】
好ましい実施形態において、アクセサリはさらに上部部材を備え、上部部材はウインドウまたは切り欠き部に対して上昇位置と下降位置との間で移動可能であり、これによりアクセサリの視認領域を調整可能となる。
【００２０】
上部部材は少なくとも一つのスロットを有し、スロットは、略垂直方向に延在し、締結部を受けるように構成されることが好ましい。
【００２１】
アクセサリは少なくとも一つの側部部材をさらに備えてもよく、側部部材はウインドウまたは切り欠き部に対して第１位置と第２位置との間で移動可能である。
【００２２】
側部部材は、略水平方向に延在する少なくとも一つのスロットを有し、スロットは締結部を受けるように構成されることが好ましい。
【００２３】
締結部が上部部材と側部部材に備えられたスロットのそれぞれに貫通することができるように、上部部材と側部部材を配置可能であることがさらに好ましい。
【００２４】
本発明の他の実施形態において、第１部材は第２部材に配置されたトラックに沿ってスライド可能である。
【００２５】
第１部材は、ディスプレイスクリーンの操作コントローラへのアクセスを提供するように構成されたアクセス開口部と、ケーブルが貫通できるように構成された開口部と、ディスプレイスクリーンへのリモートアクセスを提供するように構成された部分の内、一または複数を有することが好ましい。
【００２６】
第１部材は、透明、半透明、または、透光性の物質からなる部分を有してもよい。
【発明を実施するための最良の形態】
【００２７】
以下、図面を参照し、本発明に係る一または複数の実施形態を一例として説明する。なお、同様の参照符号は同様の部分を参照する。
【００２８】
図１〜１０は本発明に係るフレームを示す。フレーム１０は、フロントパネル１２と、リヤパネル１４と、を備える。
【００２９】
フロントパネル１２は、略矩形であり、周縁部１６と、ウインドウ１８と、を有する。なお、視聴者は、ウインドウ１８を介して、少なくともテレビジョン装置、コンピュータモニタ、またはラップトップコンピュータのディスプレイスクリーン（図示せず）の一部を視認することができる。本発明の好ましい実施形態において、ウインドウ１８は、フレーム１０が使用されるディスプレイスクリーン全体に対応するサイズ及び形状で構成されている。
【００３０】
使用時に、ウインドウ１８の位置がディスプレイスクリーンの外形に略適合するように、フロントパネル１２及びディスプレイスクリーンは略平行に配置される。
【００３１】
本発明の代替実施形態（図示せず）において、フロントパネル１２は、透明、半透明、または透光性の物質からなる部分を有する。この部分は、周縁部で画定されたウインドウの形態であってもよい。このウインドウは、コンピュータモニタ用のアンチグレアスクリーンの機能を果たすことができる。
【００３２】
図２に最も明確に示すように、フロントパネル１２は、締結部を受けるように構成された複数の孔部２０を有する。
【００３３】
リヤパネル１４は、略Ｕ字型の中央部２２と、中央部２２から外側に延在する２つの側部２４．１及び２４．２と、を有する。本発明の好ましい一実施形態において、側部２４．１及び２４．２は、中央部２２に対して角度を調整することができるように、中央部２２に移動自在に接続されている。
【００３４】
この目的のために、リヤパネル１４の中央部２２は、折り畳み線２６．１及び２６．２によって側部２４．１及び２４．２のそれぞれと分けられている。なお、図１に示すように、使用時においては、側部２４．１及び２４．２のそれぞれは、所定の角度で中央部２２から後方に延在するように折り畳むことができるように構成されている。このように、フレーム１０はディスプレイスクリーンの近傍に配置された背景物を遮断する働きをするので、ユーザに豊かな視聴体験が提供される。
【００３５】
本発明の代替実施形態（図示せず）において、側部２４．１及び２４．２は、ディスプレイスクリーンの視認を制限するために中央部２２から前方に延在するように折り曲げられる。これにより、ユーザにプライバシーが提供される。
【００３６】
保管及び移動の目的でリヤパネル１４を容易に折り畳むことができるように、中央部２２に向かって側部２４．１及び２４．２を折り畳み可能であることがより好ましい。
【００３７】
側部２４．１及び２４．２を中央部２２における対向する両側部にヒンジで設置可能であることは、当業者に当然理解される。この目的のために、本発明の技術分野で周知の任意の適したヒンジ手段を使用してもよい。
【００３８】
さらに、フレーム１０が所望の形態で側部２４．１及び２４．２を固定するための固定手段（図示せず）をさらに備えてもよいことは、当業者に当然理解される。
【００３９】
代替案として、フレーム１０は製造過程において所望の形態で製造してもよい。
【００４０】
図３に示すように、中央部２２の底部は、キーボードケーブル、及び／または、マウスケーブルが貫通可能な切り欠き部２８を有する。
【００４１】
図６に示すように、中央部２２の底面３０は、前面３２に対して１：５０の割合で傾斜している。本発明において、任意の割合を使用してもよいことは、当業者に当然理解される。
【００４２】
本発明の代替実施形態（図示せず）においては、底面３０が前面３２に対して略垂直である。
【００４３】
さらに、リヤパネル１４が図示しない一または複数の支持部材（例えば、折り畳み可能な脚部）を有しており、当該支持部材がリヤパネル１４から延在するとともに、略水平面上でリヤパネル１４をフリースタンディング姿勢（free-standing position）に支持することは、当業者に当然理解される。
【００４４】
図３に最も明確に示すように、中央部２２は、リヤパネル１４に対するフロントパネル１２の高さ調整を可能にするために、２つの略平行なスロット３４．１及び３４．２を有する。スロット３４．１及び３４．２は、中央部２２における対向する両側部に形成されている。
【００４５】
フロントパネル１２をリヤパネル１４に取り外し自在に取り付けることができるように、スロット３４．１及び３４．２は締結部３５を貫通可能なサイズ及び形状で構成されている。本発明において、任意の適した締結手段（ナット及びボルト、ベルクロ開閉部、クランプ、クリップ等）を使用してもよいことは、当業者に当然理解される。
【００４６】
これを実現するために、図５に示すように、孔部２０とスロット３４．１及び３４．２のそれぞれを略整列させることができるように、フロントパネル１２及びリヤパネル１４が略平行に重なるように配置される。この結果、締結部３５は、孔部２０を介してスロット３４内に延在することができる。締結部３５は、スロット３４における水平方向の移動が制限されるが、スロット３４に沿って垂直方向に移動可能である。ただし、スロット３４の両端部は締結部３５の動作範囲を制限する。
【００４７】
一または複数の締結部をスロット３４のそれぞれに沿ってガイドすることにより、ディスプレイスクリーンに対するフロントパネル１２の高さ調整が実現する。この結果、ウインドウ１８およびディスプレイスクリーンの位置は、垂直方向に略整列し、フロントパネル１２の周縁部１６はディスプレイスクリーンの両側面、上面、及び下面を略取り囲むように構成される。
【００４８】
図４に最も明確に示すように、側部２４．１及び２４．２の底面３６．１及び３６．２は、フレーム１０を略水平面上でフリースタンディング姿勢に支持するために、リヤパネル１４の中央部２２の縦方向に対して適切な角度（例えば、１０ｍｍ／１５０ｍｍ）で傾斜してもよい。
【００４９】
図７及び８に示すように、リヤパネル１４は、装置４０のディスプレイスクリーンを部分的または完全に取り囲むように、４つ以上の側部２４．１、２４．２、２４．３、２４．４を有してもよい。フレーム１０は、ディスプレイスクリーンを取り囲むスリーブの形態（図示せず）でもよい。さらに、フレーム１０を任意の所望の形態に折り畳み状態を解除するよう構成してもよいことは、当業者に当然理解される。
【００５０】
フレーム１０は、任意の適した材料（例えば、金属、ボール紙、プラスチック等）で形成してもよい。本発明において、適した材料を任意に組み合わせて使用してもよいことは、当業者に当然理解される。この材料からなるウインドウ部をマウスパッドとして使用してもよい。
【００５１】
フレーム１０の各面は平面でもよい。本発明の他の実施形態において、フレーム１０は、凹部、エンボス部、操作コントローラ（ボタン、ダミースイッチの形態の擬似操作コントローラを含む）等を有してもよい。
【００５２】
本発明の好ましい実施形態において、フレーム１０は、装飾インディシア（indicia）（例えば、芸術作品、３Ｄグラフィック、郵便はがき、写真）、情報インディシア（例えば、指示、安全情報）、娯楽インディシア（例えば、電子ゲーム、ゲームコントローラ、パズル）、格納装置（例えば、ＣＤホルダ、トレイ、ポケット、ドキュメントホルダ）、及び、その他の装置（例えば、スピーカ、カメラ、携帯電話ホルダ、計算機、電子ディスプレイ、照明装置等）の内、一または複数を備える。
【００５３】
フレーム１０は、ホワイトボードまたはブラックボードとして機能するように構成された面を備える。また、フレーム１０は磁気面等を備えてもよい。
【００５４】
フレーム１０は、フレームの一部に適合するように構成された、布またはプラスチック製のスリーブまたはカバーを備えてもよい。こうしたスリーブまたはカバーは、印刷されたグラフィック等を有してもよい。
【００５５】
本発明の他の実施形態では、フレーム１０はディスプレイスクリーンを取り囲む広告スペースを創出するために使用される。
【００５６】
フレーム１０は下記の通り組み立てられる。フロントパネル１２及びリヤパネル１４は、孔部２０がスロット３４と整列するように重ねて配置される。図５に示すように、締結部３５は孔部２０を介してスロット３４内に延在する。締結部３５はスロット３４のそれぞれに沿ってガイド可能である。ディスプレイスクリーンに対するフロントパネル１２の高さ調整は、リヤパネル１４の前面３２に対してパネル１２を上下にスライドさせることにより実現する。そして、フロントパネル１２をリヤパネル１４に固定するために、締結部３５が締め付けられる。ディスプレイスクリーンに対するフレーム１０の長手方向の位置は、フレーム１０を略水平方向に移動させることにより調整される。
【００５７】
図１１〜１４は、本発明の他の実施形態に係るフレーム１００を示す。前述のフレーム１０と同様に、他の実施形態に係るフレーム１００は、フロントパネル１２０と、リヤパネル１４０と、を備える。なお、フロントパネル１２０は、ウインドウ１８０と、複数の孔部２００と、を有する。また、リヤパネル１４０は中央部２２０を有し、中央部２２０にはスロット３４０．１及び３４０．２と、側部２４０．１及び２４０．２と、が備えられている。
【００５８】
図１１及び１２に最も明確に示すように、フロントパネル１２０は、締結部を受けるように構成された複数の第２の孔部２１０．１、２１０．２、２１０．３、２１０．４を有する。これらの第２の孔部は、フロントパネル１２０における対向部分に沿って略水平に２列に配置さている。
【００５９】
フレーム１００は、さらに矩形の上部平面部材３１０を有する。上部平面部材３１０は、対向する両端部に形成された２つのスロット３００．１及び３００．２を有する。スロット３００．１及び３００．２は、締結部が貫通可能なサイズ及び形状で構成されている。
【００６０】
ウインドウ１８０に対する上部平面部材３１０の位置は、フロントパネル１２０の背面に対して上部平面部材３１０を上下にスライドさせることによって調整可能である。上部平面部材３１０が必要な位置に配置された場合、上部平面部材３１０を当該位置に固定するために、締結部が締め付けられる。結果として、フレーム１００の視聴領域の高さＨを調整することができる。
【００６１】
図１１に最も明確に示すように、フレーム１００は、さらに２つの側部部材４００．１及び４００．２を備える。側部部材４００．１は一組のスロット４１０．１及び４１２．１を有し、側部部材４００．２は一組のスロット４１０．２及び４１２．２を有する。スロット４１０．１及び４１０．２は、スロット３００．１及び３００．２と同一径の締結部を受けるサイズで構成され、使用時に、スロット３００及び４１０が互いに略垂直になるように構成されている。
【００６２】
ウインドウ１８０に対する側部部材４００．１及び４００．２の位置は、上記方法と同様に調整される。すなわち、側部部材４００．１及び４００．２を略水平方向にスライドさせることによって調整される。側部部材４００．１及び４００．２が所望の位置に配置された場合、側部部材４００．１及び４００．２を当該位置に固定するために、締結部が締め付けられる。結果的に、フレーム１００の視聴領域の幅Ｗを調整することができる。
【００６３】
上記の結果として、アクセサリ１００をコンピュータモニタスクリーンまたはテレビジョンセットスクリーンの多様なサイズに適合するように調整することができる。
【００６４】
図１５及び１６は、本発明の他の実施形態に係るフレーム５００を示す。前述のフレーム１０及び１００と同様に、フレーム５００は、フロント部材５１０と、リヤ部材５１４と、を備える。なお、フロント部材５１０はウインドウ５１２を有し、リヤ部材５１４は複数の折り曲げ可能な側部５１６．１、５１６．２、５１６．３、５１６．４を有する。
【００６５】
アクセスドア５１８は、ウインドウ５１２の下方に配置されており、テレビジョンセットまたはコンピュータモニタの操作コントローラへのアクセスを提供するように構成されている。図１５に最も明確に示すように、遠隔制御装置による各ホストとの通信を可能にするために、アクセスドア５１８には開口部５１９が備えられている。また、フロント部材５１０は、ケーブルが貫通可能な複数の開口部５２０を有する。
【００６６】
フロント部材５１０の垂直位置は、ウインドウ５１２における対向側部上に位置する２つのトラック５２２．１及び５２２．２に沿ってフロント部材５１０をスライドさせることにより調整される。
【００６７】
図１６に示すように、フレーム５００は、フロント部材５１０の空洞または開口部を塞ぐようなサイズ及び形状で構成されたインフィル５２４．１及び５２４．２をさらに備える。
【００６８】
フレーム１００と同様に、フレーム５００は、視聴領域のサイズを調整するための第２パネル５２６をさらに備えてもよい。
【００６９】
用語「備えている（comprising）」が明細書中で使用される場合、［開放型（open）」の意味、即ち「有している（including）」の意味で理解すべきであり、［閉鎖型（closed）」の意味、即ち「のみで構成される（consisting only of）」の意味に限定すべきではない。対応する用語「備える（comprise）」、「備えられた（comprised）」、及び「備える（comprises）」が記載される場合、対応する意味がこれらの用語に属することになる。
【００７０】
当然のことながら、ここで開示され定義された本発明は、上述の、または、テキストから明白な個々の特徴の二つ以上のすべての代替的な組み合わせまで拡大して適用される。こうした異なる組み合わせのすべてが本発明の多様な代替態様を構成する。
【００７１】
上記では本発明に関する特定の実施形態について記載したが、本発明が本質的な特徴から逸脱することなく、他の具体的な形態で具体化可能であることは当業者に自明である。したがって、本実施形態及び実施例はあらゆる点で一例に過ぎず、限定するものではないと考えるべきであり、これにより、当業者に自明のあらゆる修正がそこに含まれることが意図される。
【図面の簡単な説明】
【００７２】
【図１】本発明の好ましい一実施形態に係るフレームの正面斜視図。
【図２】図１のフレームのフロントパネルに関する正面図。
【図３】図１のフレームのリヤパネルに関する正面斜視図であり、折り畳み形態のリヤパネルを示す図。
【図４】図１のフレームに関する正面図であり、折り畳み解除形態のフレームを示す図。
【図５】図１のフレームに関する上面図であり、折り畳み形態のフレームを示す図。
【図６】図４のＡ−Ａ線における、図１のフレームのリヤパネル中央部に関する断面図。
【図７】本発明の他の実施形態に関する概略上面図であり、第１形態のフレームを示す図。
【図８】図７のフレームに関する概略上面図であり、第２形態のフレームを示す図。
【図９】図１のフレームに関する正面斜視図であり、折り畳み解除形態のフレームを示す図。
【図１０】図１のフレームに関する背面斜視図であり、折り畳み解除形態のフレームを示す図。
【図１１】本発明の他の実施形態に係るフレームに関する正面斜視図。
【図１２】図１１のフレームのフロントパネルに関する正面図。
【図１３】図１１のフレームのリヤパネルに関する正面斜視図であり、折り畳み形態のリヤパネルを示す図。
【図１４】図１１のフレームに関する上面図であり、折り畳み形態のフレームを示す図。
【図１５】本発明の他の実施形態に係るフレームに関する概略正面図。
【図１６】図１５のフレームに関する正面図。
【図１】
2009526247.tif 000003
【図２】
2009526247.tif 000004
【図３】
2009526247.tif 000005
【図４】
2009526247.tif 000006
【図５】
2009526247.tif 000007
【図６】
2009526247.tif 000008
【図７】
2009526247.tif 000009
【図８】
2009526247.tif 000010
【図９】
2009526247.tif 000011
【図１０】
2009526247.tif 000012
【図１１】
2009526247.tif 000013
【図１２】
2009526247.tif 000014
【図１３】
2009526247.tif 000015
【図１４】
2009526247.tif 000016
【図１５】
2009526247.tif 000017
【図１６】
2009526247.tif 000018
【国際調査報告】
2009526247.tif 000019
2009526247.tif 000020
2009526247.tif 000021